(57)【要約】      （修正有）【課題】着心地を損なうことなく、手軽に帽子の柄を変えることが可能で、且つ、天候や目的等に応じてつば部の長さを調整することが可能なリバーシブルの帽子を提供する。【解決手段】第一のつば部１１は、表面に第一の柄１１ａを有し、内周端部が、クラウン部１０の外周端部の半分に接続される。第二のつば部１２は、表面に第二の柄１２ａを有し、内周端部が、クラウン部１０の外周端部の残り半分に接続され、両側端部のそれぞれが第一のつば部１１の両側端部のそれぞれに接続される。切り替えつば部１３は、表面に第一の柄１３ａを有し、裏面に第二の柄を有し、内周端部が、クラウン部１０の外周端部に対応し、外周端部が、第一のつば部１１と第二のつば部１２との外周端部の長さよりも所定の長さだけ長く構成される。折り返し接続部１４ｄは、切り替えつば部１３の両側端部のそれぞれを、第一のつば部１１と第二のつば部１２との両側端部それぞれに接続する。【選択図】図７
2020200539.tif 000002
【特許請求の範囲】
【請求項１】
ユーザーの頭に被せられ、外周端部が円であるクラウン部と、
表面に第一の柄を有し、円の半分の円環状で形成され、内周端部が、前記クラウン部の外周端部の半分に接続され、外周端部が、前記クラウン部の外周端部の長さよりも長く構成される第一のつば部と、
表面に第二の柄を有し、前記円の残り半分の円環状で形成され、内周端部が、前記クラウン部の外周端部の残り半分に接続され、外周端部が、前記第一のつば部の外周端部の長さと同等の長さに構成され、両側端部のそれぞれが、前記第一のつば部の両側端部のそれぞれに接続される第二のつば部と、
表面に前記第一の柄を有し、裏面に前記第二の柄を有し、前記円の半分の円環状で形成され、内周端部が、前記クラウン部の外周端部に対応し、外周端部が、前記第一のつば部と前記第二のつば部との外周端部の長さよりも所定の長さだけ長く構成された切り替えつば部と、
前記切り替えつば部の裏面の第二の柄が前記第二のつば部の表面の第二の柄に対向した状態で、前記切り替えつば部の両側端部のそれぞれを、前記第一のつば部と前記第二のつば部との両側端部のそれぞれに接続する折り返し接続部と、
を備え、
前記第一のつば部の第一の柄と前記切り替えつば部の第一の柄とが表に現れた状態で、前記折り返し接続部を介して、前記切り替えつば部を折り返し、当該切り替えつば部の第一の柄を前記第一のつば部の第一の柄に合わせることで、前記第二のつば部の第二の柄と前記切り替えつば部の第二の柄とが表に現れる
帽子。
【請求項２】
前記切り替えつば部の側端部は、当該側端部の長さ方向にしわ寄せすることで、前記第一のつば部と前記第二のつば部との側端部に一致させて接続される
請求項１に記載の帽子。
【発明の詳細な説明】
【技術分野】
【０００１】
本発明は、帽子に関する。
【背景技術】
【０００２】
従来より、表裏両面とも使えるリバーシブルの帽子に関する技術が存在する。例えば、特開２００４−６８２３８号公報（特許文献１）には、帽子の半分を表布（１）で形成して表面部位（２）とし、残り半分を切替布（３）で形成して切替部位（４）とし、可動部位（７）は表布（５）と切替布（６）を裏表に重ね合わせ、帽子の半分を形成した帽子が開示されている。この帽子の可動部位（７）を表布（５）が上になるよう、切替部位（４）の上に重ね置き、表面部位（２）と切替部位（４）と可動部位（７）の、すべてを接合部（８）で縫い合わせ、裏側には裏布（９）で裏面帽子（１０）を設け、切り替え可能としている。これにより、１つの帽子でつばをめくることにより、別の種類の帽子に切り替えることが出来るとしている。
【０００３】
又、特開２００５−２６４４１５号公報（特許文献２）には、球状の頭部を有する帽子本体と、頭部の中心線上で縫合された折り返し部を折り返すことで頭部反対部を覆いそれぞれの状態で帽子を形成するとともに異なる色彩や模様を構成する反転カバーとよりなる可変帽子が開示されている。これにより、色彩とデザインの変更が可能となるとしている。
【先行技術文献】
【特許文献】
【０００４】
【特許文献１】特開２００４−６８２３８号公報
【特許文献２】特開２００５−２６４４１５号公報
【発明の概要】
【発明が解決しようとする課題】
【０００５】
しかしながら、特許文献１、２に記載の技術では、帽子全体を折り返す構成であるため、余分な生地が必要になる。又、折り返し用の生地が帽子全体の面積だけ必要となるため、帽子全体が重くなる。更に、帽子全体が二重構造となるため、帽子内部に熱がこもり、帽子を着用しているユーザーの頭が熱くなり易い。そのため、ユーザーの着心地が悪くなるという課題がある。又、特許文献１、２に記載の技術では、帽子全体を折り返す必要があるため、帽子の柄の変更に手間が掛かるという課題がある。
【０００６】
そこで、本発明は、上述の課題を解決するためになされたものであり、着心地を損なうことなく、手軽に帽子の柄を変えることが可能で、且つ、天候や目的等に応じてつば部の長さを調整することが可能なリバーシブルの帽子を提供することを目的とする。
【課題を解決するための手段】
【０００７】
本発明に係る帽子は、クラウン部と、第一のつば部と、第二のつば部と、切り替えつば部と、折り返し接続部と、を備える。クラウン部は、ユーザーの頭に被せられ、外周端部が円である。第一のつば部は、表面に第一の柄を有し、円の半分の円環状で形成され、内周端部が、前記クラウン部の外周端部の半分に接続され、外周端部が、前記クラウン部の外周端部の長さよりも長く構成される。第二のつば部は、表面に第二の柄を有し、前記円の残り半分の円環状で形成され、内周端部が、前記クラウン部の外周端部の残り半分に接続され、外周端部が、前記第一のつば部の外周端部の長さと同等の長さに構成され、両側端部のそれぞれが、前記第一のつば部の両側端部のそれぞれに接続される。切り替えつば部は、表面に前記第一の柄を有し、裏面に前記第二の柄を有し、前記円の半分の円環状で形成され、内周端部が、前記クラウン部の外周端部に対応し、外周端部が、前記第一のつば部と前記第二のつば部との外周端部の長さよりも所定の長さだけ長く構成される。折り返し接続部は、前記切り替えつば部の裏面の第二の柄が前記第二のつば部の表面の第二の柄に対向した状態で、前記切り替えつば部の両側端部のそれぞれを、前記第一のつば部と前記第二のつば部の両側端部のそれぞれに接続する。前記第一のつば部の第一の柄と前記切り替えつば部の第一の柄とが表に現れた状態で、前記折り返し接続部を介して、前記切り替えつば部を折り返し、当該切り替えつば部の第一の柄を前記第一のつば部の第一の柄に合わせることで、前記第二のつば部の第二の柄と前記切り替えつば部の第二の柄とが表に現れる。
【発明の効果】
【０００８】
本発明によれば、着心地を損なうことなく、手軽に帽子の柄を変えることが可能で、且つ、天候や目的等に応じてつば部の長さを調整することが可能となる。
【図面の簡単な説明】
【０００９】
【図１】本発明に係る帽子の切り替えつば部の接続前の斜視図と、クラウン部と第一のつば部と第二のつば部とを接続する際の平面図（図１Ａ）と、切り替えつば部の平面図と底面図と、帽子の切り替えつば部の接続前の平面図（図１Ｂ）とである。
【図２】切り替えつば部の長さの長い状態としわ寄せの状態とを示す平面図（図２Ａ）と、切り替えつば部を接続する場合の斜視図（図２Ｂ）とである。
【図３】切り替えつば部の折り返す前の斜視図と平面図（図３Ａ）と、切り替えつば部の折り返す前の正面図とＡ−Ａ線断面図（図３Ｂ）とである。
【図４】切り替えつば部を折り返す前の斜視図（図４Ａ）と、切り替えつば部を折り返す際の斜視図（図４Ｂ）とである。
【図５】切り替えつば部を折り返す際の斜視図（図５Ａ）と、切り替えつば部を折り返した際の斜視図（図５Ｂ）とである。
【図６】切り替えつば部の折り返した後の斜視図と平面図（図６Ａ）と、切り替えつば部の折り返した後の正面図とＡ−Ａ線断面図（図６Ｂ）とである。
【図７】切り替えつば部を前に折り返した状態の右側面図（図７Ａ）と、切り替えつば部を後ろに折り返した状態の右側面図（図７Ｂ）とである。
【図８】両側端部のそれぞれがしわ寄せ状態の切り替えつば部を第一のつば部と第二のつば部の両側端部のそれぞれに接続する際の斜視図（図８Ａ）と、両側端部のそれぞれがしわ寄せ状態の切り替えつば部を第一のつば部と第二のつば部の両側端部のそれぞれに接続した際の斜視図（図８Ｂ）とである。
【図９】切り替えつば部が楕円の半分の円環状の場合を示す平面図（図９Ａ）と、楕円の半分の円環状の切り替えつば部を接続する場合の斜視図（図９Ｂ）とである。
【図１０】第一のつば部と第二のつば部とのそれぞれに骨格線材を内蔵させた状態の斜視図と平面図と（図１０Ａ）と、第一のつば部と第二のつば部とのそれぞれに骨格線材を内蔵させた状態で、切り替えつば部の折り返す前と折り返した後の斜視図（図１０Ｂ）とである。
【図１１】切り替えつば部を折り返す前の斜視写真（図１１Ａ）と、切り替えつば部を折り返した後の斜視写真（図１１Ｂ）とである。
【図１２】しわ寄せ有りの切り替えつば部の折り返す前と折り返した後の斜視写真（図１２Ａ）と、しわ寄せ無しの切り替えつば部の折り返す前と折り返した後の斜視写真（図１２Ｂ）とである。
【発明を実施するための形態】
【００１０】
以下に、添付図面を参照して、本発明の実施形態について説明し、本発明の理解に供する。尚、以下の実施形態は、本発明を具体化した一例であって、本発明の技術的範囲を限定する性格のものではない。
【００１１】
本発明に係る帽子１は、図１Ａに示すように、クラウン部１０と、第一のつば部１１と、第二のつば部１２と、切り替えつば部１３と、を備える。クラウン部１０は、ユーザーの頭に被せられ、外周端部１０ａが円である。
【００１２】
第一のつば部１１は、表面に第一の柄１１ａ（例えば、無地柄）を有し、円の半分の円環状で形成され、内周端部１１ｂが、前記クラウン部１０の外周端部１０ａの半分に接続され、外周端部１１ｃが、前記クラウン部１０の外周端部１０ａの長さよりも長く構成される。
【００１３】
第二のつば部１２は、表面に第二の柄１２ａ（例えば、水玉柄）を有し、前記円の半分の円環状で形成され、内周端部１２ｂが、前記クラウン部１０の外周端部１０ａの残り半分に接続され、外周端部１２ｃが、前記第一のつば部１１の外周端部１１ｃの長さと同等の長さに構成され、両側端部１２ｄ、１２ｅのそれぞれが、第一のつば部１１の両側端部１１ｄ、１１ｅのそれぞれに接続される。
【００１４】
切り替えつば部１３は、図１Ｂに示すように、表面に前記第一の柄１３ａ（無地柄）を有し、裏面に前記第二の柄１３ｂ（水玉柄）を有し、前記円の半分の円環状で形成され、内周端部１３ｃが、前記クラウン部１０の外周端部１０ａに対応し、外周端部１３ｄが、前記第一のつば部１１と前記第二のつば部１２との外周端部の長さ１１ｃ、１２ｃよりも所定の長さｄＬだけ長く構成される。
【００１５】
そして、本発明に係る帽子１は、図２Ａ、図２Ｂに示すように、折り返し接続部１４ｄ、１４ｅを備え、折り返し接続部１４ｄ、１４ｅは、前記切り替えつば部１３の裏面の第二の柄１３ｂが前記第二のつば部１２の表面の第二の柄１２ａに対向した状態で、切り替えつば部１３の両側端部１３ｅ、１３ｆのそれぞれを、前記第一のつば部１１と前記第二のつば部１２との両側端部１１ｄ、１１ｅ、１２ｄ、１２ｅのそれぞれに接続する。
【００１６】
本発明に係る帽子１は、図２Ａ、図２Ｂ、図３Ａ，図３Ｂ、図４Ａ，図４Ｂに示すように、前記第一のつば部１１の第一の柄１１ａと前記切り替えつば部１３の第一の柄１３ａとが表に現れた状態で、前記折り返し接続部１４ｄ、１４ｅを介して、前記切り替えつば部１３を折り返し、当該切り替えつば部１３の第一の柄１３ａを前記第一のつば部１１の第一の柄１１ａに合わせることで、図５Ａ、図５Ｂに示すように、前記第二のつば部１２の第二の柄１２ａと前記切り替えつば部１３の第二の柄１３ｂとが表に現れる。
【００１７】
これにより、着心地を損なうことなく、手軽に帽子の柄を変えることが可能で、且つ、天候や目的等に応じてつば部の長さを調整することが可能となる。即ち、本発明では、帽子１のつば部１１、１２、１３に着目し、つば部１１、１２、１３をリバーシブルに構成している。これにより、折り返し用の生地はつば部１３だけで足りるため、帽子全体を二重構造とせず、頭を覆うクラウン部１０は、図３ＢのＡ−Ａ線断面図と、図６ＢのＢ−Ｂ線断面図に示すように、通常の帽子の一重構造と同じとなるため、帽子が重くならず、又、帽子内部に熱がこもらない。従って、ユーザーは、普通の帽子と同じ感覚で被ることが出来、ユーザーの着心地を損なうことが無い。
【００１８】
又、本発明では、図４Ａ，図４Ｂ、図５Ａ，図５Ｂに示すように、切り替えつば部１３を折り返すだけで良いため、つば部１１、１２の柄の変更に手間が掛からない。又、クラウン部１０の柄は固定されるものの、つば部１１、１２の柄を変更することで、帽子全体としての柄の変更になることから、ユーザーは、手軽に帽子１の柄を変更することが可能となる。
【００１９】
更に、本発明に係る帽子１は、図１〜図４に示すように、切り替えつば部１３の外側端部１３ｅ、１３ｆの長さＬ１は、前記第一のつば部１１と前記第二のつば部１２の外側端部１１ｄ、１１ｅ、１２ｄ、１２ｅの長さＬ２よりも所定の長さｄＬだけ長く構成している。
【００２０】
これにより、切り替えつば部１３の長さＬ１を第一のつば部１１と第二のつば部１２の長さＬ２よりも長くすることで、つば部の長さ調整を行うことが可能となる。例えば、図７Ａに示すように、切り替えつば部１３を前に折り返す状態にすることで、切り替えつば部１３の長さにより、顔を深く隠すことが可能となり、顔の日焼けを確実に防止することが可能となる。又、例えば、日中の野外の野球観戦や夕暮れの時では、日光が顔へ照射することから、切り替えつば部１３を前に折り返す状態にすることで、顔の日焼けを確実に防止することが出来る。
【００２１】
又、例えば、図７Ｂに示すように、切り替えつば部１３を後ろに折り返す状態にすることで、切り替えつば部１３の長さにより、首を深く隠すことが可能となり、首の日焼けを確実に防止することが可能となる。又、例えば、日中の畑作業や昼間の時では、日光が首へ照射することから、切り替えつば部１３を後ろに折り返す状態にすることで、首の日焼けを確実に防止することが可能となる。
【００２２】
このように、日光の状況や天候、目的に応じて切り替えつば部１３の長さを調整して、顔や首の日焼け等を防止することが可能となる。
【００２３】
ここで、切り替えつば部１３を長くする構成に特に限定は無い。例えば、図１に示すように、切り替えつば部１３が円の半分の円環状であり、切り替えつば部１３の内周端部１３ｃと外周端部１３ｄとの間の長さＬ１を、第一のつば部１１と第二のつば部１２の内周端部１１ｂ、１２ｂと外周端部１１ｃ、１２ｃとの間の長さＬ２に対して、どこの位置でも等しく所定の長さｄＬだけ長く構成した場合（均等に延長した場合）、切り替えつば部１３の側端部１３ｅ、１３ｆの長さＬ１は、第一のつば部１１と第二のつば部１２の側端部１１ｄ、１１ｅ、１２ｄ、１２ｅの長さＬ２と一致しない。この場合、図２−図８に示すように、切り替えつば部１３の側端部１３ｅ、１３ｆは、当該側端部１３ｅ、１３ｆの長さ方向にしわ寄せすることで、第一のつば部１１と第二のつば部１２の側端部１１ｄ、１１ｅ、１２ｄ、１２ｅに一致させて接続されると好ましい。
【００２４】
これにより、切り替えつば部１３の側端部１３ｅ、１３ｆのしわ寄せにより、切り替えつば部１３は、立体的な形状を保ち易くなり、ボリューム感を生じさせる。そのため、帽子１のファッション性を高めるとともに、切り替えつば部１３による遮光効果を高めることが出来る。
【００２５】
ここで、切り替えつば部１３の側端部１３ｅ、１３ｆに設けられるしわの構成に特に限定は無い。例えば、タックやギャザーを構成することが出来る。又、しわの数に特に限定は無く、切り替えつば部１３の側端部１３ｅ、１３ｆの長さＬ１を、第一のつば部１１と第二のつば部１２の側端部１１ｄ、１１ｅ、１２ｄ、１２ｅの長さＬ２に一致させる程度に設ければよい。
【００２６】
一方、切り替えつば部１３の外周端部１３ｄが第一のつば部１１と第二のつば部１２の外周端部１１ｃ、１２ｃよりも長いものの、図９に示すように、切り替えつば部１３が楕円の半分の円環状であり、切り替えつば部１３の外周端部１３ｄの中央付近は、第一のつば部１１と第二のつば部１２の外周端部１１ｃ、１２ｃより所定の長さｄＬだけ長く、切り替えつば部１３の側端部１３ｅ、１３ｆに近づくと、所定の長さｄＬだけ短くなり、切り替えつば部１３の側端部１３ｅ、１３ｆの長さＬ１は、第一のつば部１１と第二のつば部１２の側端部１１ｄ、１１ｅ、１２ｄ、１２ｅの長さＬ２と一致する。この場合、切り替えつば部１３の側端部１３ｅ、１３ｆをしわ寄せすることなく、切り替えつば部１３の側端部１３ｅ、１３ｆを、折り返し接続部１４ｄ、１４ｅを介して、第一のつば部１１と第二のつば部１２の側端部１１ｄ、１１ｅ、１２ｄ、１２ｅに容易に接続することが出来る。
【００２７】
又、クラウン部１０の構成に特に限定は無い。クラウン部１０の生地の素材に特に限定は無く、例えば、ポリオレフィン樹脂、プロピレン樹脂、プロピレン共重合体、ポリエステル樹脂、ポリアミド樹脂、ポリビニルアルコール樹脂等を挙げることが出来る。又、例えば、クラウン部１０の全体の生地や内側のビンガワの生地に、冷却性生地や保温性生地を用いても良い。生地の素材に特に限定は無く、例えば、ポリオレフィン樹脂、プロピレン樹脂、プロピレン共重合体、ポリエステル樹脂、ポリアミド樹脂、ポリビニルアルコール樹脂等を挙げることが出来る。又、第一のつば部１１と第二のつば部１２と切り替えつば部１３の生地の素材も、同様に特に限定は無い。
【００２８】
又、第一のつば部１１と第二のつば部１２との両側端部１１ｄ、１１ｅ、１２ｄ、１２ｅの構成に特に限定は無いが、例えば、第一のつば部１１の一方の側端部１１ｄを第二のつば部１２の一方の側端部１２ｄに重ねて、両者を縫製することで、一方の接続部を構成することが出来る。同様に、第一のつば部１１の他方の側端部１１ｅを第二のつば部１２の他方の側端部１２ｅに重ねて、両者を縫製することで、他方の接続部を構成することが出来る。縫製以外に固定や接着等の方法でも構わない。
【００２９】
又、折り返し接続部１４ｄ、１４ｅの構成に特に限定は無いが、例えば、切り替えつば部１３の一方の側端部１３ｄを、表に現れている第一のつば部１１の一方の側端部１１ｄ又は第二のつば部１２の一方の側端部１２ｄに重ねて、両者を縫製することで、一方の折り返し接続部１４ｄを構成することが出来る。同様に、切り替えつば部１３の他方の側端部１３ｅを、表に現れている第一のつば部１１の他方の側端部１１ｅ又は第二のつば部１２の他方の側端部１２ｅに重ねて、両者を縫製することで、他方の折り返し接続部１４ｅを構成することが出来る。縫製以外に固定や接着等の方法でも構わない。
【００３０】
又、第一のつば部１１と第二のつば部１２の構成に特に限定は無い。例えば、図１０に示すように、第一のつば部１１の外周端部１１ｃに、当該外周端部１１ｃに沿って、形状保持用の骨格線材１５ａを内蔵させるとともに、第二のつば部１２の外周端部１２ｃに、当該外周端部１２ｃに沿って、形状保持用の骨格線材１５ｂを内蔵させる。
【００３１】
これにより、第一のつば部１１と第二のつば部１２の立体的形状を、骨格線材１５ａ、１５ｂを介して保持することが可能となるとともに、切り替えつば部１３を第一のつば部１１又は第二のつば部１２に設置する際に、第一のつば部１１又は第二のつば部１２の立体的形状が保持されていることで、切り替えつば部１３を第一のつば部１１又は第二のつば部１２の上面に設置し易くすることが可能となる。
【００３２】
骨格線材１５ａ、１５ｂは、例えば、アルミニウム等の金属線材やプラスチック樹脂製の樹脂線材を挙げることが出来る。又、骨格線材１５ａ、１５ｂを第一のつば部１１の外周端部１１ｃと第二のつば部１２の外周端部１２ｃとにそれぞれ内蔵させる方法に特に限定は無いが、例えば、第一のつば部１１の外周端部１１ｃ又は第二のつば部１２の外周端部１２ｃを丸めて円筒体を形成し、その円筒体の内部に骨格線材１５ａ、１５ｂを挿通して内蔵させる方法を挙げることが出来る。
【００３３】
さて、本発明の顕著な効果を説明する。図１１Ａに示すように、切り替えつば部１３を折り返す前では、クラウン部１０も切り替えつば部１３も無地柄であるため、全体として、無地柄の帽子１になっている。一方、図１１Ｂに示すように、切り替えつば部１３を折り返した後では、クラウン部１０は無地柄であるものの、切り替えつば部１３は花柄となり、全体として、花柄の帽子１に変身している。このように、手軽に帽子の柄を変えることが出来る。
【００３４】
又、切り替えつば部１３の外周端部１３ｃは、第一のつば部１１と第二のつば部１２との外周端部１１ｃ、１２ｃよりも長く構成しているため、図１１Ａでは、切り替えつば部１３が帽子１の右側にあることから、第二のつば部１２を覆い、全体として、右側のつば部が長い帽子に変身している。一方、図１１Ｂでは、切り替えつば部１３が帽子１の左側にあることから、第一のつば部１１を覆い、全体として、左側のつば部が長い帽子に変身している。
【００３５】
更に、切り替えつば部１３の側端部１３ｅ、１３ｆは、しわ寄せされていることから、切り替えつば部１３が立体的な形状となり、全体として帽子１のボリューム感が増していることが理解される。
【００３６】
又、切り替えつば部１３の側端部１３ｅ、１３ｆをしわ寄せした構成で、且つ、第一のつば部１１と第二のつば部１２とのそれぞれに骨格線材１５ａ、１５ｂを設けた場合、図１２Ａに示すように、切り替えつば部１３を折り返す前でも折り返した後でも、第一のつば部１１と第二のつば部１２とが立体的な形状を保ち易くなり、全体として帽子１のボリューム感が増していることが理解される。
【００３７】
一方、切り替えつば部１３の側端部１３ｅ、１３ｆをしわ寄せせずに、切り替えつば部１３の側端部１３ｅ、１３ｆの長さＬ１は、第一のつば部１１と第二のつば部１２の側端部１１ｄ、１１ｅ、１２ｄ、１２ｅの長さＬ２と一致した構成で、且つ、第一のつば部１１と第二のつば部１２とのそれぞれに骨格線材１５ａ、１５ｂを設けた場合、図１２Ｂに示すように、切り替えつば部１３の側端部１３ｅ、１３ｆのしわ寄せが無い分、多少、立体的な形状が保ち難くなっているものの、骨格線材１５ａ、１５ｂの存在により、全体として帽子１のボリューム感が増していることが理解される。いずれの帽子でも、軽量で、且つ、着心地が良いものであった。
【００３８】
このように、本発明では、着心地を損なうことなく、手軽に帽子の柄を変えることが可能で、且つ、天候や目的等に応じてつば部の長さを調整することが可能となる。
【００３９】
又、本発明に係る帽子１の種類に特に限定は無く、帽子１の種類は、例えば、ソフトハット(中折れ帽)、ボーラーハット、キャペリン、チロリアンハット、カンカン帽、ポークパイハット、シルクハット、ストローハット、マウンテンハットサンキャップ、バケットハット等を挙げることが出来る。又、本発明に係る帽子１に他の構成を追加して、他の機能を付加しても構わない。
【産業上の利用可能性】
【００４０】
以上のように、本発明に係る帽子は、クラウン部の外周端部の全てにつば部を有する様々な分野の帽子に有用であり、着心地を損なうことなく、手軽に帽子の柄を変えることが可能で、且つ、天候や目的等に応じてつば部の長さを調整することが可能な帽子として有効である。
【符号の説明】
【００４１】
１  帽子
１０  クラウン部
１１  第一のつば部
１２  第二のつば部
１３  切り替えつば部
１４  折り返し接続部
【図１】
2020200539.tif 000003
【図２】
2020200539.tif 000004
【図３】
2020200539.tif 000005
【図４】
2020200539.tif 000006
【図５】
2020200539.tif 000007
【図６】
2020200539.tif 000008
【図７】
2020200539.tif 000009
【図８】
2020200539.tif 000010
【図９】
2020200539.tif 000011
【図１０】
2020200539.tif 000012
【図１１】
2020200539.tif 000013
【図１２】
2020200539.tif 000014